(57)【要約】【課題】テラヘルツ波画像を好適に合成する。【解決手段】テラヘルツ波撮像装置は、テラヘルツ波を対象物（５００）に照射する照射手段（１１０）と、対象物により反射又は透過されたテラヘルツ波を検出し、第１の画像を取得する第１画像取得手段（１５０）と、対象物により反射又は透過されたテラヘルツ波とは異なる光を検出し、第２の画像を取得する第２画像取得手段（１７０）と、第２の画像に基づいて、第２の画像に対応する複数の第１の画像を合成する合成手段（２４０）とを備える。【選択図】図１
2020204624.tif 000002
【特許請求の範囲】
【請求項１】
テラヘルツ波を対象物に照射する照射手段と、
前記対象物により反射又は透過された前記テラヘルツ波を検出し、第の１画像を取得する第１画像取得手段と、
前記テラヘルツ波とは異なる光を検出し、第２の画像を取得する第２画像取得手段と、
前記第２の画像に対応する前記第１の画像を合成する合成手段と
を備えることを特徴とするテラヘルツ波撮像装置。
【発明の詳細な説明】
【技術分野】
【０００１】
本発明は、例えば対象物により反射又は透過されたテラヘルツ波を検出して撮像を行うテラヘルツ波撮像装置及びテラヘルツ波撮像方法の技術分野に関する。
【背景技術】
【０００２】
近年、テラヘルツ波イメージングの研究開発が活発化しており、例えば非破壊検査等への応用に期待が寄せられている。これらの用途では、目視確認できない検査対象を撮像し、可視化するイメージングが有効な情報提示手法として用いられる。
【０００３】
イメージングを行う場合には、検査対象又はテラヘルツ波を発信及び受信するヘッドを走査することが求められるが、検査対象自体を走査することができない場合も多く、ヘッド走査型の装置が検討されている。例えば特許文献１では、小型ヘッドを搭載した可動キャリッジをモータで駆動して自動走査を行うという技術が提案されている。また特許文献２では、回転又は揺動するミラー及びレンズを用いて小型ヘッドによる高速走査を実現しようとする技術が提案されている。
【先行技術文献】
【特許文献】
【０００４】
【特許文献１】特開２０１１−５０８２２６号公報
【特許文献２】特開２００９−８６５８号公報
【発明の概要】
【発明が解決しようとする課題】
【０００５】
しかしながら、特許文献１のように駆動装置を利用して自動走査を実現しようとすると、装置全体としての小型化が難しく、結果として設置箇所が限られてしまい、様々な現場に持ち込んでの撮像が困難となってしまう。
【０００６】
また、特許文献２のような装置では、走査範囲と光学系の大きさがトレードオフである。このため、例えば広範囲を操作しようとすると、レンズ径の大型化等に起因してヘッドが大型化してしまい、逆にヘッドを小型化しようとすると、走査範囲が狭くなり、限られた場所しか検査できないという状況が発生してしまう。
【０００７】
上述した問題点を解決する方法として、小型ヘッドを手動で走査することが考えられる。しかしながら、手動による走査においては、駆動機構等によるヘッド位置の特定ができない。このため、仮に小型ヘッドで広範囲を走査できたとしても、検出されたテラヘルツ波と走査位置との対応関係が特定できず、適切な画像が得られないという技術的問題点が生ずる。
【０００８】
本発明が解決しようとする課題には上記のようなものが一例として挙げられる。本発明は、手動走査のようにヘッド位置を機械的に特定することが難しい場合であっても、好適なイメージングを実現可能なテラヘルツ波撮像装置及びテラヘルツ波撮像方法を提供することを課題とする。
【課題を解決するための手段】
【０００９】
上記課題を解決するテラヘルツ波撮像装置は、テラヘルツ波を対象物に照射する照射手段と、前記対象物により反射又は透過された前記テラヘルツ波を検出し、第１の画像を取得する第１画像取得手段と、前記対象物により反射又は透過された前記テラヘルツ波とは異なる光を検出し、第２の画像を取得する第２画像取得手段と、前記第２の画像に基づいて、前記第２の画像に対応する複数の前記第１の画像を合成する合成手段とを備える。
【００１０】
上記課題を解決するテラヘルツ波撮像方法は、テラヘルツ波を対象物に照射する照射工程と、前記対象物により反射又は透過された前記テラヘルツ波を検出し、第１の画像を取得する第１画像取得工程と、前記対象物により反射又は透過された前記テラヘルツ波とは異なる光を検出し、第２の画像を取得する第２画像取得工程と、前記第２の画像に基づいて、前記第２の画像に対応する複数の前記第１の画像を合成する合成工程とを備える。
【図面の簡単な説明】
【００１１】
【図１】第１実施例に係るテラヘルツ波撮像装置の全体構成を示す概略図である。
【図２】第１実施例に係るテラヘルツ波撮像装置の使用例を示す側面図である。
【図３】第１実施例に係るテラヘルツ波撮像装置における撮像方法を示す斜視図である。
【図４】テラヘルツ波画像及び可視光画像の合成方法を示す概念図である。
【図５】第２実施例に係るテラヘルツ波撮像装置の使用例を示す側面図である。
【図６】インデックス部の構成を示す平面図である。
【図７】インデックス部を利用した画像の合成方法を示す概念図である。
【発明を実施するための形態】
【００１２】
＜１＞
本実施形態に係るテラヘルツ波撮像装置は、テラヘルツ波を対象物に照射する照射手段と、前記対象物により反射又は透過された前記テラヘルツ波を検出し、第１の画像を取得する第１画像取得手段と、前記対象物により反射又は透過された前記テラヘルツ波とは異なる光を検出し、第２の画像を取得する第２画像取得手段と、前記第２の画像に基づいて、前記第２の画像に対応する複数の前記第１の画像を合成する合成手段とを備える。
【００１３】
本実施形態のテラヘルツ波撮像装置によれば、その動作時には、照射手段から対象物（即ち、撮像対象）に向けてテラヘルツ波が照射される。テラヘルツ波とは、１テラヘルツ（１ＴＨｚ＝１０１２Ｈｚ）前後の周波数領域（つまり、テラヘルツ領域）に属する電磁波である。照射手段は、例えば光伝導アンテナ（ＰＣＡ：Photo Conductive Antenna）や共鳴トンネルダイオード（ＲＴＤ：Resonant Tunneling Diode）等として構成される発生素子を含んで構成されている。
【００１４】
照射されたテラヘルツ波は、対象物において反射又は透過され、第１画像取得手段により検出される。第１画像取得手段は、例えば光伝導アンテナや共鳴トンネルダイオードとして構成される検出素子を含んでいる。更に、第１画像取得手段は、検出したテラヘルツ波に応じた信号に各種処理を施して、第１の画像を取得する。即ち、「第１の画像」はテラヘルツ波を利用して撮像される画像である。なお、第１の画像は、対象物に対する走査位置（即ち、撮像位置）を変えて複数取得される。
【００１５】
他方で、第２画像取得手段では、対象物により反射又は透過されたテラヘルツ波とは異なる光が検出され、第２の画像が取得される。ここで、「テラヘルツ波とは異なる光」とは、対象物の撮像に利用可能な光であり、撮像においてテラヘルツ波とは異なる特性（具体的には、後述する合成を実現可能な特性）を有する光である。また、「第２の画像」はテラヘルツ波とは異なる光を利用して撮像される画像であり、第１の画像と対応する画像として取得される。なお、第２の画像取得手段の一例としては、ＣＣＤ（Charge Coupled Device）カメラや、ＣＭＯＳ（Complementary Metal Oxide Semiconductor）センサ、レーザースキャナ等があげられる。
【００１６】
テラヘルツ波を利用して取得される複数の第１の画像は、合成手段により合成されることで、対象物の広範囲を示す画像とされる。しかしながら、第１の画像は、テラヘルツ波を利用した撮像画像の特性上、画像自体から対象物のどの部分を撮像したものであるかを判別することが難しい。よって、例えば手動走査で第１の画像を取得する場合のように走査位置が機械的に特定できない場合には、複数の第１の画像の互いの位置関係が特定できず、結果として、複数の画像を適切に合成することが困難となってしまう。
【００１７】
しかるに本実施形態では、複数の第１の画像の合成が、第２の画像に基づいて行われる。ここで特に、第２の画像は、テラヘルツ波とは異なる光（例えば、可視光）により取得される画像であるため、テララヘルツ波を利用した第１の画像とは異なり、画像の位置関係を容易に特定できる。従って、第２の画像から導かれる位置関係を利用すれば、対応する第１の画像の位置関係を特定することができ、合成が適切に行える。なお、ここでの「対応する」とは、同時に或いは極めて近いタイミングで取得された第１の画像と第２の画像との関係を表しており、典型的には、第１の画像及び第２の画像は対応するペアの画像として夫々取得される。ただし、対応する第１の画像及び第２の画像は、必ずしも対象物の同じ位置を撮像したものでなくともよく、第１の画像と第２の画像との相対的な位置関係が明確になっている必要もない。合成された第２の画像全体における夫々の第２の画像の位置関係を、対応する(ペアとなる)夫々の第１の画像の位置関係に適用することで第１の画像の合成ができるのである。
【００１８】
以上説明したように、本実施形態に係るテラヘルツ波撮像装置によれば、テラヘルツ波とは異なる光を利用して取得された第２の画像を利用することにより、テラヘルツ波を利用して取得される第１の画像を適切に合成できる。従って、テラヘルツ波を利用した撮像を極めて好適に行える。
【００１９】
＜２＞
本実施形態に係るテラヘルツ波撮像装置の一態様では、前記第２画像取得手段は、前記対象物により反射された可視光を検出し、前記第２の画像を取得する。
【００２０】
この態様によれば、第２の画像が可視光画像として取得されるため、例えば対象物の表面の形状や模様等を利用して好適に画像の位置関係を特定できる。従って、このような第２の画像を利用すれば、テラヘルツ波を利用して取得される第１の画像を適切に合成できる。
【００２１】
＜３＞
本実施形態に係るテラヘルツ波撮像装置の他の態様では、前記第２画像取得手段は、前記対象物を覆うインデックス部の模様を含むものとして前記第２の画像を取得し、前記合成手段は、前記第２の画像に含まれる前記インデックス部の模様に基づいて、複数の前記第１の画像を合成する。
【００２２】
この態様によれば、対象物を覆うようにインデックス部が配置された状態で撮像が行われる。インデックス部は、例えばシート状或いは板状の部材として構成されており、その表面にテラヘルツ波とは異なる光を利用して撮像可能な所定の模様を有している。よって、第２の画像には、インデックス部の模様が含まれることになる。
【００２３】
第２の画像は、例えば上述したように可視光画像であるため、対象物の表面の形状や模様等を利用して好適に画像の位置関係を特定できる。しかしながら、対象物の表面に特徴がない場合（例えば、真っ白な壁等である場合）には、位置関係を特定することが難しい。
【００２４】
しかるに本態様では、第２の画像にはインデックス部の模様が含まれるため、模様を利用して位置関係を好適に特定できる。従って、第２の画像を利用しても、第１の画像の位置関係を特定できないという不都合を確実に回避できる。
【００２５】
＜４＞
上述の如くインデックス部の模様を利用する態様では、前記インデックス部は、前記テラヘルツ波の透過率が所定の閾値よりも高い材料を含んでいてもよい。
【００２６】
この場合、インデックス部を配置したことに起因して、対象物におけるテラヘルツ波の反射又は透過が阻害されてしまうことを防止できる。なお、「所定の閾値」は、第１の画像を十分な品質で取得できる程度の値として、事前のシミュレーション等により決定すればよい。テラヘルツ波の透過率が高い材料としては、フッ素系樹脂や超高分子量ポリエチレン等が挙げられる。
【００２７】
＜５＞
本実施形態に係るテラヘルツ波撮像装置の他の態様では、前記合成手段で合成された前記第１の画像及び前記第の２画像を、別々に又は互いの対応関係に応じて重ねて表示させる表示手段を備える。
【００２８】
この態様によれば、表示手段を利用して、テラヘルツ波を利用した画像である第１の画像と、テラヘルツ波とは異なる光を利用した画像（例えば、可視光画像）である第２の画像とを別々に表示できる。即ち、第１の画像だけを表示させたり、第２の画像だけを表示させたりできる。
【００２９】
また本態様では特に、第１の画像と第２の画像とを対応関係に応じて重ねて表示させることもできる。具体的には、対象物の内部構造を示す第１の画像と、対象物の表面形状を示す第２の画像とを、互いの位置関係を合わせた状態で重畳して表示できる。このような表示方法によれば、例えば対象物の内部構造をより直感的に理解することができる等、実践上極めて有益である。
【００３０】
＜６＞
本実施形態に係るテラヘルツ波撮像方法は、テラヘルツ波を対象物に照射する照射工程と、前記対象物により反射又は透過された前記テラヘルツ波を検出し、第１の画像を取得する第１画像取得工程と、前記対象物により反射又は透過された前記テラヘルツ波とは異なる光を検出し、第２の画像を取得する第２画像取得工程と、前記第２の画像に基づいて、前記第２の画像に対応する複数の前記第１の画像を合成する合成工程とを備える。
【００３１】
本実施形態に係るテラヘルツ波撮像方法によれば、上述したテラヘルツ波撮像装置と同様に、テラヘルツ波とは異なる光を利用して取得された第２の画像を利用することにより、テラヘルツ波を利用して取得される第１の画像を適切に合成できる。従って、テラヘルツ波を利用した撮像を極めて好適に行える。
【００３２】
なお、本実施形態に係るテラヘルツ波撮像方法においても、上述した本実施形態に係るテラヘルツ波撮像装置における各種態様と同様の各種態様を採ることが可能である。
【００３３】
本実施形態に係るテラヘルツ波撮像装置及びテラヘルツ波撮像方法の作用及び他の利得については、以下に示す実施例において、より詳細に説明する。
【実施例】
【００３４】
以下では、図面を参照して本発明の実施例について詳細に説明する。
【００３５】
＜第１実施例＞
初めに、図１を参照しながら、第１実施例に係るテラヘルツ波撮像装置の構成及び基本的動作について説明する。ここに図１は、第１実施例に係るテラヘルツ波撮像装置の全体構成を示す概略図である。
【００３６】
図１において、第１実施例に係るテラヘルツ波撮像装置は、テラヘルツ波を測定対象物である検査対象５００に照射すると共に、検査対象５００において反射されたテラヘルツ波を検出するものとして構成されている。即ち、第１実施例に係るテラヘルツ波撮像装置は、所謂反射型の装置として構成されている。なお、テラヘルツ波撮像装置は、検査対象において透過されたテラヘルツ波を検出する透過型の装置として構成されてもよい。
【００３７】
第１実施例に係るテラヘルツ波撮像装置は、テラヘルツ波撮像ヘッド部１００と、制御・信号処理部２００とを備えて構成されている。第１実施例に係るテラヘルツ波撮像装置の動作時には、テラヘルツ波撮像ヘッド部１００によって、テラヘルツ波の照射及び検出が行われる。テラヘルツ波の検出結果は、制御・信号処理部２００によって処理され、検査対象５００の内部構造を示す画像として出力される。
【００３８】
より具体的には、テラヘルツ波は、テラヘルツ波撮像ヘッド部１００のテラヘルツ波発信部１１０で発生される。テラヘルツ波発信部１１０は、例えば共鳴トンネルダイオードや光伝導アンテナとして構成されるテラヘルツ波発生素子１１１、半球状のシリコンレンズ１１２及びコリメートレンズ１１３を含んで構成されている。テラヘルツ波発生素子１１１で発生されたテラヘルツ波は、シリコンレンズ１１２によって効率よく取り出され、コリメートレンズによりテラヘルツ波ビームとして発信される。
【００３９】
発信されたテラヘルツ波ビームは、例えばプリズムとして構成されるビームスプリッタ１２０を透過してビームスキャナ１３０へと導かれる。ビームスキャナ１３０は、例えばガルバノスキャナやポリゴンミラー等の可動ミラーを揺動または回転する機構を駆動することにより、テラヘルツ波ビームを走査する。これらの機構を使えばビームを線状に走査することができる。また同様の機構を２つ組み合わせれば２次元のビーム走査が可能となる。
【００４０】
ビームスキャナ１３０により走査されたテラヘルツ波ビームは対物レンズ１４０によって絞られ、検査対象５００に向けて照射される。照射されたテラヘルツ波ビームは検査対象５００により反射され、反射したテラヘルツ波ビームは再び対物レンズ１４０、ビームスキャナ１３０を経由してビームスプリッタ１２０に導かれる。検査対象５００で反射され戻ってきたテラヘルツ波ビームは、ビームスプリッタ１２０により反射されてテラヘルツ波受信部１５０に導かれる。
【００４１】
テラヘルツ波受信部１５０は、集光レンズ１５１、半球状のシリコンレンズ１５２、及び共鳴トンネルダイオードや光伝導アンテナとして構成されるテラヘルツ波検出素子１５３を含んで構成されている。テラヘルツ波受信部１５０では、集光レンズ１５１により絞られたテラヘルツ波ビームが半球状のシリコンレンズ１５２により効率よくテラヘルツ波検出素子１５３に集められ、テラヘルツ波の強度に応じた電流が検出される。検出された電流は、Ｉ-Ｖ変換器１６０で電圧に変換され、検出信号として制御・信号処理部２００に出力される。
【００４２】
テラヘルツ波発生素子１１１及びテラヘルツ波検出素子１５３は、バイアス生成部２１０で生成されるバイアス電圧によってバイアスされており、バイアス電圧に応じて発信または受信するテラヘルツ波が変化する。なお、テラヘルツ波発生素子１１１及びテラヘルツ波検出素子１５３が光伝導アンテナの場合は、さらに光を作用させる必要があり、超短パルスレーザー光を照射することによって非常に広帯域のテラヘルツ波の送受信を行うことができる。
【００４３】
テラヘルツ波発生素子１１１及びテラヘルツ波検出素子１５３で発信・受信されるテラヘルツ波は、一般的に微弱であるため、その検出にはロックイン検出が用いられる。ロックイン検出の際、テラヘルツ波発信部１１０では、テラヘルツ波発生素子１１１のバイアス電圧として変調された参照信号が用いられる。ロックイン検出部２２０では、バイアス生成部２１０により変調されたテラヘルツ波による検出信号と、バイアス生成部２１０から出力された参照信号とを用いて同期検波をする。そして、テラヘルツ波の検出信号の参照信号とで異なる周波数のノイズ成分が除去される。一方、テラヘルツ波検出素子１５３のバイアス電圧として、テラヘルツ波発生素子１１１の特性において検出感度が高くなるような直流電圧が印加される。
【００４４】
ビームスキャナ１３０は、スキャナ駆動部２３０による駆動信号に基づいて駆動制御され、検査対象５００に照射されるテラヘルツ波ビームを走査する。画像処理部２４０は、その走査範囲によって決まるテラヘルツ波照射エリアにおいて、スキャナ駆動部２３０で制御される走査位置と受信される検出信号からなるテラヘルツ波画像ユニットを取得する。なお、走査を行わない場合、ビームスキャナ１３０は照射位置を決める単なるミラーとして作用する。この場合、照射エリアはビームスポットに相当し、テラヘルツ波画像ユニットは検出信号そのものである。
【００４５】
一方、可視光撮像器１７０は、例えばＣＣＤカメラ、ＣＭＯＳセンサ、レーザースキャナとして構成されており、その視野内の検査対象５００の表面の画像を可視光画像ユニットとして取得する。ここで、可視光撮像器１７０がテラヘルツ波撮像ヘッド１００に対して設置される位置によって、可視光画像ユニットとテラヘルツ波画像ユニットには一定の位置関係が成立している。可視光画像ユニットとテラヘルツ波画像ユニットは、ほぼ同時に撮像され、画像ユニットセットとして、画像処理部２４０のメモリに蓄えられる。画像処理部２４０では、メモリに蓄えたそれぞれの可視光画像ユニットを比較し、同一パターンを重ね合わせながら合成画像を生成していく。画像処理部２４０が行う画像の合成処理については、後に詳述する。
【００４６】
次に、図２を参照しながら、第１実施例に係るテラヘルツ波撮像装置の使用方法について説明する。ここに図２は、第１実施例に係るテラヘルツ波撮像装置の使用例を示す側面図である。
【００４７】
図２において、第１実施例に係るテラヘルツ波撮像装置では、テラヘルツ波撮像ヘッド部１００が、比較的小型のハンディタイプのヘッド部として構成されている。なお、制御・信号処理部２００は、テラヘルツ波撮像ヘッド１００とは別体として構成された本体部３００に内蔵されている。
【００４８】
第１実施例に係るテラヘルツ波撮像装置の使用時には、検査対象表面５０１に沿って、テラヘルツ波撮像ヘッド１００を手動で走査すればよい。この際、テラヘルツ波撮像ヘッド１００に設けられた作動距離保持部１８０により、テラヘルツ波ビームの光路長に対応する作動距離が一定に保たれる。また、作動距離は、作動距離調整部１９０により調整可能とされている。具体的には、作動距離調整部１９０は、作動距離方向の長さを調整可能な部材として構成されている。
【００４９】
作動距離を調整する場合、取得されるテラヘルツ波画像と可視光画像との大きさや位置関係が変化することになる。このため、作動距離調整部１９０によって作動距離が調整された場合、調整された作動距離に応じて、テラヘルツ波画像と可視光画像との大きさや位置関係を再設定することになる。或いは、可視光画像の視野倍率を変更可能な手段を用いて視野倍率を調整することになる。逆に言えば、作動距離に応じてテラヘルツ波画像と可視光画像の関係を適正に設定することによって、作動距離調整が可能である。
【００５０】
なお、テラヘルツ波撮像装置では、目視で不可能な内部構造の情報を得ることができるが、イメージング用途で実用可能な構成において扱うことのできるテラヘルツ波は微弱であるため、テラヘルツ波をある程度集束して検査対象５００に照射する必要がある。したがって、作動距離は限定され、検査対象５００の深さ方向（即ち、光軸方向）の視野はテラヘルツ波の焦点位置付近の狭い範囲に限られる。従って、ほぼ一定の作動距離を保ちつつ作動距離調整を行うことができるということは、検査したいものが存在する位置によって検査対象５００に対する深さ方向の視野を変えても、イメージングの画像品質を保つことができるという極めて有益な効果を有する。
【００５１】
次に、図３及び図４を参照しながら、第１実施例に係るテラヘルツ波撮像装置によって取得された画像の合成処理について説明する。ここに図３は、第１実施例に係るテラヘルツ波撮像装置における撮像方法を示す斜視図である。また図４は、テラヘルツ波画像及び可視光画像の合成方法を示す概念図である。
【００５２】
図３に示すように、第１実施例に係るテラヘルツ波撮像装置では、テラヘルツ波を利用してテラヘルツ波画像ユニットが取得されるのに加えて、可視光画像撮像器１７０によって可視光画像ユニットが取得される。なお、一般的に可視光画像の撮像範囲の方がテラヘルツ波の走査範囲より広いため、図に示す例では、テラヘルツ波画像ユニットより、可視光画像ユニットの方が大きくなっている。ただし、テラヘルツ波画像ユニットと可視光画像ユニットとの大小関係は特に限定されるものではなく、テラヘルツ波画像ユニットの方が、可視光画像ユニットより大きくなっていても構わない。
【００５３】
図４に示すように、テラヘルツ波画像と可視光画像とは、対応する１組の画像として取得されている。そして特に、複数のテラヘルツ波画像を合成してテラヘルツ波合成画像を得る場合には、対応する可視光画像が利用される。具体的には、可視光画像又は複数の可視光画像を合成した可視光合成画像から取得できる位置関係を利用して、テラヘルツ波画像の合成が行われる。
【００５４】
ここで、テラヘルツ波画像は、その特性上、画像自体から位置検出を行うことが困難である。一方で、可視光画像は、画像処理ツール等が充実しており、画像自体から位置検出を行って合成を行うことが可能である。よって、可視光画像から得られた位置情報を、対応するテラヘルツ波画像に適用すれば、位置情報を有しないテラヘルツ波画像を好適に合成することが可能である。
【００５５】
特に、本実施例のように手動でヘッドを走査する場合には、例えば駆動機構を利用した自動走査とは異なり撮像位置に関する情報を取得できない。即ち、駆動機構の駆動量等を利用して機械的に撮像位置を検出することができない。従って、手動走査を行う場合には、上述したように可視光画像を利用して位置情報を取得する方法は極めて有効である。
【００５６】
以上のようにして得られたテラヘルツ波合成画像は、イメージ表示部２５０（図１参照）によって検査対象５００の内部状態を示すイメージング画像として表示される。一方、可視光合成画像は、検査対象５００の表面状態を示すイメージング画像として参照される。
【００５７】
なお、目視できない検査対象５００内部のイメージングにおいては、その位置関係等の基準として目視イメージが用いられる場合がある。ここで、可視光合成画像は目視イメージそのものであり、テラヘルツ波合成画像と重ねあわせて表示したり、交互に表示したりすることによって、目視イメージと合わせて検査イメージの確認ができる。
【００５８】
以上説明したように、第１実施例に係るテラヘルツ波撮像装置によれば、テラヘルツ波とは異なる可視光を利用して取得された可視光画像を利用することにより、テラヘルツ波を利用して取得されるテラヘルツ波画像を適切に合成できる。従って、テラヘルツ波を利用した撮像を極めて好適に行える。
【００５９】
＜第２実施例＞
次に、第２実施例に係るテラヘルツ波撮像装置について説明する。なお、第２実施例は、上述した第１実施例と比べて一部の構成が異なるのみであり、その他の点については概ね同様である。このため、以下では既に説明した第１実施例と異なる部分について詳細に説明し、他の重複する部分については適宜説明を省略するものとする。
【００６０】
先ず、図５を参照しながら、第１実施例に係るテラヘルツ波撮像装置の構成について説明する。ここに図５は、第２実施例に係るテラヘルツ波撮像装置の使用例を示す側面図である。
【００６１】
図５において、第２実施例に係るテラヘルツ波撮像装置の使用時には、検査対象表面５０１に沿ってインデックス部４００が配置される。即ち、インデックス部４００は、テラヘルツ波撮像ヘッド部１００と検査対象５００との間に配置される。インデックス部４００は、例えばシート状またはボード状の被覆体であり、テラヘルツ波の透過率が高い材料から構成されている。これにより、インデックス部４００の存在がテラヘルツ波によるイメージングに影響することを防止できる。
【００６２】
次に、図６及び図７を参照しながら、インデックス部４００の構成及びインデックス部４００を利用した合成方法について説明する。ここに図６は、インデックス部の構成を示す平面図である。また図７は、インデックス部を利用した画像の合成方法を示す概念図である。
【００６３】
図６に示すように、インデックス部４００の表面には、テラヘルツ波撮像ヘッド部１００の位置によってユニークな可視光画像が得られるようなパターンが描かれている。なお、図に示す例では格子状にＡ１〜Ｇ８が並ぶパターンが描かれているが、可視光画像における位置情報の検出に利用できるようなパターン（即ち、撮像位置に対してユニークなパターン）であれば特に限定されるものではない。
【００６４】
図７において、インデックス部４００を配置すると、取得される複数の可視光画像には、インデックス部４００に描かれたパターンが撮像位置に応じて映り込む。このため、異なる位置で撮像された可視光画像には、異なるパターンが映り込む。これにより、可視光画像から位置情報を検出する処理の精度、速度、安定度を向上できる。従って、可視光画像を利用したテラヘルツ波画像の合成を、より好適に行うことが可能となる。
【００６５】
一般に、テラヘルツ波を利用した非破壊検査は、検査対象５００の内部の状態を知りたい場合に行われるため、検査対象５００の表面に関する情報が必要ない場合も多い。例えば、塗膜下の金属の状態(錆や剥がれ)を知りたい場合などは、均一な塗膜表面の情報はあまり役に立たない。
【００６６】
逆に、本実施例のように可視光画像を頼りに位置検出を行う場合、均一な塗膜表面ではテラヘルツ波撮像ヘッド部１００の位置による可視光画像ユニットの違いが分かり難く、画像合成等の処理が難しいという状況が発生し得る。このような場合であっても、インデックス部４００を用いることで、テラヘルツ波撮像ヘッド部１００の位置に応じて得られる可視光画像が夫々ユニークなパターンとなる。従って、可視光画像を利用した位置検出を確実に行うことができる。
【００６７】
なお、インデックス部４００に描かれているパターンを検査対象５００に直接描く方法も考えられるが、例えば意匠性が求められる工業製品や装飾性の高い構造物の検査においては、直接検査対象５００の表面に描画を行うことができない。このような場合であっても、インデックス部４００を用いれば、テラヘルツ波撮像ヘッド部１００が検査対象５００に直接触れないようにする、或いはインデックス部４００を検査対象５００から少し浮かせて用いることによって検査対象５００を保護することができる。
【００６８】
更に、検査対象５００の表面が凸凹している場合などは、テラヘルツ波撮像ヘッド部１００を走査するときに、テラヘルツ波撮像ヘッド部１００が検査対象５００に引っ掛かる、或いはテラヘルツ波撮像ヘッド部１００の姿勢が暴れることによって、装置や画質にダメージが及ぶことがある。また、テラヘルツ波撮像ヘッド部１００を浮かして手動走査すると、テラヘルツ波撮像ヘッド部１００の姿勢が定まらずテラヘルツ波が検査対象５００に斜めに照射されたり、作動距離が定まらず検出されるテラヘルツ波の強度が変動したり、可視光画像の視野が変動したりして、画像の劣化を招く。このような状況に対しても、インデックス部４００を利用して、その表面にテラヘルツ波撮像ヘッド部１００を沿わせることにより安定して走査を行うことができ、安定した画質でイメージングを行うことができる。
【００６９】
なお、インデックス部４００は比較的安価に作成することが可能で、重ねたり、畳んだり、広げたりすることもでき、現場に持ち運びやすい。また、インデックス部４００の周縁部において共通のインデックスパターンを適用することによって、容易にワークエリアの拡大を図ることもできる。
【００７０】
以上説明したように、第２実施例に係るテラヘルツ波撮像装置によれば、検査対象５００から適切な可視光画像が得られない状況であっても、インデックス部４００を利用することで、確実に可視光画像を利用した位置検出が行える。よって、第１実施例に係るテラヘルツ波撮像装置１と同様に、テラヘルツ波を利用して取得されるテラヘルツ波画像を適切に合成できる。
【００７１】
本発明は、上述した実施形態に限られるものではなく、特許請求の範囲及び明細書全体から読み取れる発明の要旨或いは思想に反しない範囲で適宜変更可能であり、そのような変更を伴うテラヘルツ波撮像装置及びテラヘルツ波撮像方法もまた本発明の技術的範囲に含まれるものである。
【符号の説明】
【００７２】
１００  テラヘルツ波撮像ヘッド部
１１０  テラヘルツ波発信部
１１１  テラヘルツ波発生素子
１１２  シリコンレンズ
１１３  コリメートレンズ
１２０  ビームスプリッタ
１３０  ビームスキャナ
１４０  対物レンズ
１５０  テラヘルツ波受信部
１５１  集光レンズ
１５２  シリコンレンズ
１５３  テラヘルツ波検出素子
１６０  Ｉ-Ｖ変換器
１７０  可視光撮像器
１８０  作動距離保持部
１９０  作動距離調整部
２００  制御・信号処理部
２１０  バイアス生成部
２２０  ロックイン検出部
２３０  スキャナ駆動部
２４０  画像処理部
２５０  イメージ表示部
３００  本体部
４００  インデックス部
５００  検査対象
【図１】
2020204624.tif 000003
【図２】
2020204624.tif 000004
【図３】
2020204624.tif 000005
【図４】
2020204624.tif 000006
【図５】
2020204624.tif 000007
【図６】
2020204624.tif 000008
【図７】
2020204624.tif 000009